(57)【要約】      （修正有）【課題】網部材の底部に載置された被加熱物から油脂等の落下物が落下しても、支持部材に付着しにくく清掃が面倒となりにくいグリルを提供する。【解決手段】グリルは、前方に開口する開口部を有するグリル庫と、開口部を介して前方へ移動可能で且つ後方へ移動してグリル庫内に収容可能なグリル皿２と、被加熱物が載置される網部材３と、グリル皿２に載置され網部材３を支持する支持部材４と、を備えるグリルである。網部材３は、被加熱物が載置される底部３１と、底部３１の左右両端辺から斜め上方に連設される縁傾斜部３２と、を有する。支持部材４は、左右両端辺に設けられグリル皿２に載置される皿載置部４１と、前後両端辺に設けられ網部材３が載置されてこれを支持する網支持部と、を有する。平面視において、左右両側の皿載置部４１は、底部３１の左右方向外側にそれぞれ位置している。【選択図】図６
2018201606.tif 000002
【特許請求の範囲】
【請求項１】
前方に開口する開口部を有するグリル庫と、
前記開口部を介して前方へ移動可能で且つ後方へ移動して前記グリル庫内に収容可能なグリル皿と、
被加熱物が載置される網部材と、
前記グリル皿に載置され前記網部材を支持する支持部材と、
を備えるグリルであって、
前記網部材は、被加熱物が載置される底部と、前記底部の左右両端辺から斜め上方に連設される縁傾斜部と、を有し、
前記支持部材は、左右両端辺に設けられ前記グリル皿に載置される皿載置部と、前後両端辺に設けられ前記網部材が載置されてこれを支持する網支持部と、を有し、
平面視において、左右両側の前記皿載置部は、前記底部の左右方向外側にそれぞれ位置していることを特徴とするグリル。
【請求項２】
前記グリル皿は、下方に凹み、前記皿載置部を収容して前記皿載置部の位置決めを行う収容凹部を有することを特徴とする請求項１記載のグリル。
【請求項３】
前記グリル皿は、前記収容凹部よりも低い位置に、上方に開放され、被加熱物からの落下物を受ける受け部を有することを特徴とする請求項２記載のグリル。
【請求項４】
前記受け部は、傾斜を有し、前記傾斜の下端部に貯め部を有することを特徴とする請求項３記載のグリル。
【請求項５】
前記支持部材は、平面視矩形枠状をした一本の線材により構成されていることを特徴とする請求項１〜４のいずれか一項に記載のグリル。
【請求項６】
前記支持部材は、平面視において前後に線対称であることを特徴とする請求項１〜５のいずれか一項に記載のグリル。
【発明の詳細な説明】
【技術分野】
【０００１】
本発明は、開口部を介してグリル庫に出し入れ自在に収容されるグリル皿と、グリル皿に載置される支持部材および網部材とを備えるグリルに関するものである。
【背景技術】
【０００２】
従来、開口部を介してグリル庫に出し入れ自在に収容されるグリル皿と、グリル皿に載置される焼き網とを備えるグリルが利用されている（例えば特許文献１参照）。焼き網には、載置される被加熱物からの油脂等の落下物が付着するため、グリル皿から取り外して洗浄を行い、再びグリル皿に載置されるようになっている。焼き網は、被加熱物が載置される網部材と、グリル皿に載置され網部材を支持する支持部材とで分離可能に構成されており、網部材は、支持部材を介してグリル皿に載置される。
【０００３】
網部材は、平面視矩形状をしており、被加熱物が載置される底部と、底部の左右両端辺から斜め上方に連設される縁傾斜部と、を有するものである。また、支持部材は、一本の線材が屈曲してなる平面視矩形枠状をしたものであり、左右両端辺にグリル皿に載置される皿載置部を有するとともに、前後両端辺に皿載置部よりも高く位置して網部材が載置される網支持部を有する。
【先行技術文献】
【特許文献】
【０００４】
【特許文献１】特開２０１４−２０２４３１号公報
【発明の概要】
【発明が解決しようとする課題】
【０００５】
上述した特許文献１に示されるグリルにあっては、網部材の底部に肉や魚等の被加熱物が載置されて加熱された場合、被加熱物から落下した油脂等の落下物が支持部材の皿載置部に付着しやすく、清掃が面倒となりやすいものであった。
【０００６】
本発明は上記従来の問題点に鑑みて発明したものであって、その目的とするところは、網部材の底部に載置された被加熱物から油脂等の落下物が落下しても、支持部材に付着しにくく清掃が面倒となりにくいグリルを提供することである。
【課題を解決するための手段】
【０００７】
上記課題を解決するために請求項１に係る発明は、前方に開口する開口部を有するグリル庫と、前記開口部を介して前方へ移動可能で且つ後方へ移動して前記グリル庫内に収容可能なグリル皿と、被加熱物が載置される網部材と、前記グリル皿に載置され前記網部材を支持する支持部材と、を備えるグリルである。
【０００８】
前記網部材は、被加熱物が載置される底部と、前記底部の左右両端辺から斜め上方に連設される縁傾斜部と、を有する。前記支持部材は、左右両端辺に設けられ前記グリル皿に載置される皿載置部と、前後両端辺に設けられ前記網部材が載置されてこれを支持する網支持部と、を有する。
【０００９】
平面視において、左右両側の前記皿載置部は、前記底部の左右方向外側にそれぞれ位置していることを特徴とする。
【００１０】
また、請求項２に係る発明は、請求項１に係る発明において、前記グリル皿は、下方に凹み、前記皿載置部を収容して前記皿載置部の位置決めを行う収容凹部を有することを特徴とする。
【００１１】
また、請求項３に係る発明は、請求項２に係る発明において、前記グリル皿は、前記収容凹部よりも低い位置に、上方に開放され、被加熱物からの落下物を受ける受け部を有することを特徴とする。
【００１２】
また、請求項４に係る発明は、請求項３に係る発明において、前記受け部は、傾斜を有し、前記傾斜の下端部に貯め部を有することを特徴とする。
【００１３】
また、請求項５に係る発明は、請求項１〜４のいずれか一項に係る発明において、前記支持部材は、平面視矩形枠状をした一本の線材により構成されていることを特徴とする。
【００１４】
また、請求項６に係る発明は、請求項１〜５のいずれか一項に係る発明において、前記支持部材は、平面視において前後に線対称であることを特徴とする。
【発明の効果】
【００１５】
請求項１に係る発明にあっては、油脂等の落下物は、左右両側の皿載置部の間に落下しやすく皿載置部には付着しにくい。このため、皿載置部に油脂等の落下物が付着して清掃が面倒となる、といったことを抑制することが可能となる。
【００１６】
請求項２に係る発明にあっては、支持部材のグリル皿に対する位置決めが可能となる。
【００１７】
請求項３に係る発明にあっては、受け部に落下した落下物が収容凹部や収容凹部に収容される皿載置部に付着しにくい。
【００１８】
請求項４に係る発明にあっては、グリル皿で受けた落下物を捨てるにあたり、貯め部に貯まっている落下物を主に捨てればよく、落下物を捨てやすい。
【００１９】
請求項５に係る発明にあっては、線材を曲げ加工して支持部材を構成することができ、支持部材の製造が容易となり製造コストを低減することができる。
【００２０】
請求項６に係る発明にあっては、前後の区別をする必要がなく支持部材の取り扱いが容易となる。
【図面の簡単な説明】
【００２１】
【図１】図１は、本発明の一実施形態のグリルを備えたグリル付きガスこんろの外観斜視図である。
【図２】図２は、同上のグリルにおけるグリル皿の斜視図である。
【図３】図３は、同上のグリルにおける網部材の斜視図である。
【図４】図４は、同上のグリルにおける支持部材の斜視図である。
【図５】図５は、同上のグリルにおいてグリル皿に支持部材および網部材を載置した状態の斜視図である。
【図６】図６は、同上のグリルにおいてグリル皿に支持部材および網部材を載置した状態の平面図である。
【発明を実施するための形態】
【００２２】
以下、本発明に係るグリルの一実施形態について添付図面に基づいて説明する。
【００２３】
本実施形態のグリルは、図１に示すように、外殻となるケーシング５１に、こんろ部５２とグリル１とを有するグリル付きガスこんろ５が備えるグリルであるが、本発明のグリルは、このようなグリル付きガスこんろ５が備えるグリルに限定されず、グリル単体や、他の機器と組み合わされたグリルであってもよい。
【００２４】
各こんろ部５２およびグリル１には、加熱手段としてのガスバーナと、ガスバーナに点火する例えば点火プラグからなる点火装置と、ガスバーナの点火を検出する例えば熱電対からなる点火検出装置とが設けられる。点火装置は、加熱状態調節部において点火操作がなされると、マイクロコンピュータからなる制御部により点火動作が行われ、点火検出装置において検出された点火情報は制御部に認識されて、制御部により点火プラグでの点火処理が行われる。
【００２５】
各ガスバーナには、図示しないが、都市ガス等のガス燃料を供給する燃料供給路からそれぞれ分岐する分岐供給路が接続される。燃料供給路には電磁弁が設けられ、各分岐供給路には、ガス燃料の供給量の調節を行うための流量制御弁が設けられる。電磁弁及び流量制御弁は、制御部により制御が行われ、流量制御弁は、対応するガスバーナが使用されない時には、ガスの流路を遮断するように制御される。
【００２６】
グリル１は、前端に、前方に開口し被加熱物を出し入れするための開口部１１を有し、内部が加熱室となるグリル庫１０を備える。便宜上、図１に示すように、開口部１１を有する方を前方Ｆとするとともにその反対を後方Ｂとし、後方Ｂに向かったときの左方を左方Ｌとするとともに右方を右方Ｒとして定義する。
【００２７】
グリル庫１０は、内部にガスバーナを有する。グリル庫１０には、開口部１１を介して前方へ移動可能で、且つ、後方へ移動してグリル庫１０内に収容可能なようにグリル皿２が設けられる。グリル皿２は、図２に示すように、受け部２１と、受け部２１の周端から外方に連設されるフランジ部２２と、を有する平面視略矩形状をしたものである。
【００２８】
受け部２１は、平面視略矩形状をし、上方に開放されており、被加熱物からの油脂等の落下物を受ける。本実施形態では、受け部２１は、傾斜を有し、傾斜の下端部に貯め部２３を有している。これにより、貯め部２３がない場合にはグリル皿２で受けた落下物が全体に散らばって落下物を捨てにくいところ、貯め部２３があることにより、貯め部２３に貯まっている落下物を主に捨てればよく、落下物を捨てやすい。
【００２９】
また、本実施形態では、グリル皿２は、後述する支持部材４を収容して位置決めを行う収容凹部２４を有するもので、この点については後述する。
【００３０】
本実施形態では、図示しないが、グリル庫１０の左右の側壁に、固定レールが前後方向に向けて設けられ、固定レールに前後にスライド自在に中間レールが設けられ、さらに中間レールに前後にスライド自在な可動レールが設けられる。
【００３１】
可動レールの前端部には、グリル庫１０の開口部１１を開閉するグリル扉１２（図１参照）が固定されている。使用者は、グリル扉１２の把持部を掴んでグリル扉１２を前方へ引き出すことで、可動レールとともにグリル皿２を開口部１１を介して前方へ移動させ、グリル扉１２を後方へ押し込むことで可動レールとともにグリル皿２をグリル庫１０内に収容させるものである。なお、本実施形態では、固定レールと可動レールと中間レールとにより、グリル皿２を前後に移動自在としているが、特にこのような形態に限定されず、グリル皿２の前端部にグリル扉１２が連結され、グリル庫１０内にグリル皿２を載置し、グリル扉１２を引き出すことによりグリル皿２を前後に移動自在としても良い。
【００３２】
グリル皿２には、網部材３および支持部材４が載置される。
【００３３】
網部材３は、図３に示すように、被加熱物が載置される底部３１と、底部３１の左右両端辺から斜め上方に連設される縁傾斜部３２と、を有するものである。本実施形態では、網部材３は、平面視矩形枠状をした外枠３３と、外枠３３の左右の対向する辺間に架設される複数の線材３４と、を有する。
【００３４】
網部材３は、支持部材４に支持される前側の被支持部３５および後側の被支持部３６が設けられる。本実施形態では、前側の被支持部３５として、外枠３３の前端辺から内側（網部材３の平面視における中央部側）に略コ字状をした前側の被支持枠３５１が取り付けられ、前側の被支持枠３５１と外枠３３とで囲まれる前挿通領域３５２が形成される。また、後側の被支持部３６として、外枠３３の前端辺から内側（網部材３の平面視における中央部側）に略コ字状をした後側の被支持枠３６１が取り付けられ、後側の被支持枠３６１と外枠３３とで囲まれる後挿通領域３６２が形成される。
【００３５】
支持部材４は、図４に示すように、グリル皿２に載置され、網部材３を支持するもので、皿載置部４１と、網支持部４３と、を有する。皿載置部４１は、支持部材４の左右両端辺に設けられて、グリル皿２に載置される。網支持部４３は、支持部材４の前後両端辺に設けられて、網部材３が載置され、網部材を支持する。
【００３６】
本実施形態では、支持部材４は、皿載置部４１と、脚部４２と、網支持部４３と、上突出部４４と、を有している。皿載置部４１は、平面視矩形枠状をした支持部材４の左右両端辺をなす。この皿載置部４１は、支持部材４の下端に位置し、グリル皿２の上面に載置される。
【００３７】
脚部４２は、皿載置部４１から上側に連設される部分で、皿載置部４１の前側の端縁から上向きに連設される左右一対の前脚部４２１と、皿載置部４１の後側の端縁から上向きに連設される左右一対の後脚部４２２と、で構成される。
【００３８】
網支持部４３は、脚部４２から横方向に連設される部分で、前脚部４２１の上端から内側に略水平に連設される左右一対の前網支持部４３１と、後脚部４２２の上端から内側に略水平に連設される左右一対の後網支持部４３２と、で構成される。
【００３９】
上突出部４４は、網支持部４３から上側に連設される部分で、前網支持部４３１の内側端から上側に連設される略コ字状をした前上突出部４４１と、後網支持部４３２の内側端から上側に連設される略コ字状をした後上突出部４４２と、で構成される。
【００４０】
また、本実施形態では、支持部材４は、平面視において前後に線対称、すなわち、前後方向の中央を通って左右に伸びる仮想線を中心として線対称となっている。これにより、前後を逆にして支持部材４をグリル皿に載置しても前後を逆にしない場合と同じとなり、前後の区別をする必要がなく支持部材４の取り扱いが容易となる。なお、支持部材４は、必ずしも本実施形態のように前後に線対称でなくてもよい。
【００４１】
また、本実施形態では、支持部材４は、平面視矩形枠状をした一本の線材を環状に繋げて構成されている。これにより、線材を曲げ加工して支持部材４を構成することができ、支持部材４の製造が容易となり製造コストを低減することができる。なお、支持部材４は、必ずしも本実施形態のように一本の線材で構成されなくてもよい。
【００４２】
網部材３を支持部材４に載置するには、図５に示すように、網部材３の前挿通領域３５２に、支持部材４の前上突出部４４１を挿通させて、前網支持部４３１上に前側の被支持枠３５１を載置するとともに、網部材３の後挿通領域３６２に、支持部材４の後上突出部４４２を挿通させて、後網支持部４３２上に後側の被支持枠３６１を載置する。
【００４３】
支持部材４をグリル皿２に載置するには、支持部材４の皿載置部４１をグリル皿２の収容凹部２４に収容させる。
【００４４】
収容凹部２４は、図２に示すように、下方に凹み、皿載置部４１を収容して皿載置部４１の位置決めを行うもので、本実施形態では、左右両側のフランジ部２２にそれぞれ、左右の皿載置部４１を収容する収容凹部２４が形成されている。収容凹部２４により、図５に示すように、皿載置部４１の前後左右の移動が規制されて、支持部材４のグリル皿２に対する位置決めが行われる。
【００４５】
また、フランジ部２２に収容凹部２４が形成されており、収容凹部２４は受け部２１よりも高い位置に形成されることになる。このため、受け部２１に落下した落下物が収容凹部２４や、収容凹部２４に収容される皿載置部４１に付着しにくく、これらが汚れにくい。
【００４６】
そして、図６に示すように、左右両側の皿載置部４１は、平面視において、底部３１の左右方向外側にそれぞれ位置している。このため、網部材３の底部３１に載置された肉や魚等の被加熱物から油脂等の落下物が落下しても、左右両側の皿載置部４１の間に落下しやすく、皿載置部４１には付着しにくい。このため、皿載置部４１に油脂等の落下物が付着して清掃が面倒となる、といったことを抑制することが可能となる。
【符号の説明】
【００４７】
１    グリル
１０  グリル庫
１１  開口部
２    グリル皿
２１  受け部
２３  貯め部
２４  収容凹部
３    網部材
３１  底部
３２  縁傾斜部
４    支持部材
４１  皿載置部
４３  網支持部
【図１】
2018201606.tif 000003
【図２】
2018201606.tif 000004
【図３】
2018201606.tif 000005
【図４】
2018201606.tif 000006
【図５】
2018201606.tif 000007
【図６】
2018201606.tif 000008